(57)【要約】【課題】塗装作業を容易に行うこと。【解決手段】水性固形塗料２０は、主成分として、水、常温反応硬化型の樹脂、及び凝固剤を含有し、スティック状に成形されてなる。【選択図】図１
2020111663.tif 000002
【特許請求の範囲】
【請求項１】
主成分として、水、常温反応硬化型の樹脂、及び凝固剤を含有し、スティック状に成形されてなる、
水性固形塗料。
【請求項２】
前記水の含有割合は３０〜５０質量％である、
請求項１に記載の水性固形塗料。
【請求項３】
請求項１または請求項２に記載の水性固形塗料と、
一端に開口を有し、前記水性固形塗料を収容する筒状のケースと、
前記ケースに対して着脱可能に設けられ、前記ケースの前記開口を塞ぐキャップと、
前記ケースに設けられ、前記ケースの前記開口を通じて前記水性固形塗料を進退させる進退機構と、を備える、
スティック型塗料。
【発明の詳細な説明】
【技術分野】
【０００１】
本発明は、水性固形塗料及び水性固形塗料を備えるスティック型塗料に関する。
【背景技術】
【０００２】
例えば建材などの木材の表面には、表面の保護や意匠性の向上を目的として、塗装が施されている。
例えば特許文献１には、建材の切断面や欠損面などに現れる未塗装面の塗装を行うための液状の水性塗料が開示されている。同文献１に記載の水性塗料によれば、含有される樹脂によって、未塗装面に耐水性の塗膜が形成される。
【先行技術文献】
【特許文献】
【０００３】
【特許文献１】特開２００４−１４９６８６号公報
【発明の概要】
【発明が解決しようとする課題】
【０００４】
ところで、特許文献１に記載の水性塗料を用いて塗装作業を行う場合には、作業者は容器内の水性塗料に刷毛やローラなどの塗装具を浸し、塗装具に水性塗料を予め染み込ませておく必要があることから、塗布作業が煩雑となる。
【０００５】
特に、垂直な未塗装面の塗装を行う場合や厚みのある塗装を行う場合には、液状の水性塗料が垂れ易い。このため、塗装具に少しずつ水性塗料を染み込ませてから塗る作業を繰り返す必要があるため、作業時間が増大するという問題がある。
【０００６】
本発明は、このような実情に鑑みてなされたものであって、その目的は、液垂れを抑制しつつ塗装作業を容易に行うことができる水性固形塗料及びスティック型塗料を提供することにある。
【課題を解決するための手段】
【０００７】
上記目的を達成するための、水性固形塗料は、主成分として、水、常温反応硬化型の樹脂、及び凝固剤を含有し、スティック状に成形されてなる。
同構成によれば、水性固形塗料がスティック状をなしているため、作業者は、水性固形塗料をペンのように把持しながら塗装を行うことができる。そして、塗り延ばされた水性固形塗料から水分が蒸発することにより、樹脂を含む塗膜が形成される。特に、水性固形塗料が水及び常温反応硬化型の樹脂を含有していることにより、水性固形塗料を滑らかに塗り延ばすことができる。また、塗料が固形であるため、液垂れを抑制することができる。したがって、液垂れを抑制しつつ塗装作業を容易に行うことができる。
【０００８】
上記水性固形塗料において、前記水の含有割合は３０〜５０質量％である。
水性固形塗料に含有される水の割合が３０質量％よりも低い場合には、水性固形塗料を塗り延ばす際の円滑性が確保されにくい。一方、水性固形塗料に含有される水の割合が５０質量％よりも高い場合には、水性固形塗料の形状保持性が確保されにくい。
【０００９】
この点、上記構成によれば、水の含有割合が３０〜５０質量％であるため、水性固形塗料を塗り延ばす際の円滑性の確保及び水性固形塗料の形状保持性の確保の両立を図ることができる。
【００１０】
上記目的を達成するための、スティック型塗料は、上記水性固形塗料と、一端に開口を有し、前記水性固形塗料を収容する筒状のケースと、前記ケースに対して着脱可能に設けられ、前記ケースの前記開口を塞ぐキャップと、前記ケースに設けられ、前記ケースの前記開口を通じて前記水性固形塗料を進退させる進退機構と、を備える。
【００１１】
同構成によれば、作業者は塗装作業を行う際に、ケースからキャップを取り外し、進退機構を操作することでケースの開口から水性固形塗料を外部に進出させる。また、塗装作業を完了した後には、進退機構を操作することでケース内に水性固形塗料を退避させ、ケースにキャップを装着する。こうしたスティック型塗料によれば、作業者は、水性固形塗料を直接把持しなくて済む。また、水性固形塗料全体がケース及びキャップによって覆われることにより、水性固形塗料の乾燥を抑制できる。
【発明の効果】
【００１２】
本発明によれば、塗装作業を容易に行うことができる。
【図面の簡単な説明】
【００１３】
【図１】水性固形塗料を備えるスティック型塗料の一実施形態を示す斜視図であって、（ａ）は、ケースからキャップを離間させた状態を示す図、（ｂ）は、進退機構によって水性固形塗料をケースの外部に進出させた状態を示す図。
【図２】同実施形態におけるスティック型塗料を把持した状態を示す説明図。
【発明を実施するための形態】
【００１４】
以下、図１及び図２を参照して、スティック型塗料の一実施形態について説明する。
図１（ａ）及び図１（ｂ）に示すように、スティック型塗料１０は、スティック状の水性固形塗料２０と、一端に開口３２を有し、水性固形塗料２０を収容する筒状のケース３０と、ケース３０に対して着脱可能に設けられ、ケース３０の開口３２を塞ぐキャップ４０とを備えている。
【００１５】
水性固形塗料２０は、主成分として、水、常温反応硬化型の樹脂、及び凝固剤を含有しており、スティック状（本実施形態では、円柱状）に成形されている。
ケース３０は、円筒状のケース本体３１を有している。ケース本体３１は、軸線方向の両端に開口３２，３３を有している。
【００１６】
ケース本体３１の一方の端部外周面は、ケース本体３１の他の部分よりも縮径されている。この端部外周面には、上記キャップ４０の内周面に係止される円環状の係止突部３４が設けられている。
【００１７】
ケース本体３１の内周面には、複数（本実施形態では３つ）の案内突条３５が軸線方向に沿って延設されている。
ケース本体３１の他方の開口３３には、同開口３３を塞ぐとともに、ケース本体３１に対して回動可能な略円板状の回動体３６が設けられている。回動体３６には、同回動体３６の中心からケース本体３１内の軸線方向に沿って延在するとともに外周面に雄ねじが形成された螺軸３７が固定されている。螺軸３７には、略円板状の内皿３８が螺合されている。内皿３８の外径は、ケース本体３１の内径よりも僅かに小さい。内皿３８の外周面には、軸線方向に沿って延在するとともにケース本体３１の複数の案内突条３５にそれぞれ係合する複数（本実施形態では３つ）の案内溝３９が形成されている。
【００１８】
上記水性固形塗料２０の中心には、螺軸３７が螺入されている。また、水性固形塗料２０の基端は、内皿３８に支持されている。
ケース本体３１、回動体３６、螺軸３７、及び内皿３８は、いずれも硬質樹脂材料により形成されている。
【００１９】
キャップ４０は、片側有底円筒状をなしており、ケース本体３１などと同様の硬質樹脂材料により形成されている。
こうした構成を有するスティック型塗料１０によれば、内皿３８の各案内溝３９とケース本体３１の各案内突条３５とが係合しており、螺軸３７と内皿３８とが螺合している。このため、回動体３６によって螺軸３７を一方向（回動体３６からケース本体３１を見たときの時計回り方向）に回転させると、内皿３８及び内皿３８に支持された水性固形塗料２０が回転することなくケース３０の開口３２に向かって移動する。
【００２０】
一方、回動体３６によって螺軸３７を上記一方向とは逆方向（回動体３６からケース本体３１を見たときの反時計回り方向）に回転させると、内皿３８及び内皿３８に支持された水性固形塗料２０が回転することなくケース３０の底部である回動体３６に向かって移動する。このようにして内皿３８を昇降させることによって、ケース３０の開口３２を通じて水性固形塗料２０が進退される。したがって、案内突条３５を有するケース本体３１、回動体３６、螺軸３７、及び案内溝３９を有する内皿３８によって、本発明に係る進退機構が構成されている。
【００２１】
次に、水性固形塗料２０の製造方法について説明する。
まず、常温反応硬化型の樹脂を３０〜４０質量％含有する樹脂水溶液Ａに対して着色剤Ｂを投入し、これを攪拌する。この攪拌されたものに対して凝固剤Ｃを投入し、これを攪拌する。続いて、加温を行った後、冷却固化するとともにスティック状に成形することにより、水性固形塗料２０が製造される。
【００２２】
ここで、樹脂水溶液Ａは、水性固形塗料２０全体に対して６０〜９５質量％の割合で配合されている。この樹脂水溶液Ａには、架橋剤としてカルボジイミドが含有されている。樹脂水溶液Ａに含有される常温反応硬化型の樹脂は、塗り延ばされた水性固形塗料２０に含まれる水分が蒸発して架橋剤との硬化反応（架橋反応）が進行することにより、上記樹脂を含む塗膜を形成する。本実施形態では、こうした常温反応硬化型の樹脂として、アクリルシリコン樹脂及びポリビニル系樹脂の混合物を用いている。
【００２３】
着色剤Ｂは、水性固形塗料２０全体に対して０〜２０質量％の割合で配合されている。すなわち、水性固形塗料２０において、着色剤Ｂは必須の構成ではなく、着色剤Ｂが含有されていないものであってもよい。本実施形態では、酸化チタンや、カーボンブラック、酸化鉄、シリカなどの周知の顔料を含有する着色剤Ｂを用いている。こうした顔料は、目的の色（白色、黄土色、ベージュ、または茶色）を着けるために適宜配合されている。
【００２４】
凝固剤Ｃは、水性固形塗料２０全体に対して５〜１０質量％の割合で配合することが好ましい。水性固形塗料２０に含有される凝固剤Ｃの割合が５％よりも低い場合には、水性固形塗料２０が柔らかくなって形状保持性が確保されにくくなるため、ケース３０からの出し入れが困難となる。一方、水性固形塗料２０に含有される凝固剤Ｃの割合が１０％よりも高い場合には、水性固形塗料２０が硬くなって水性固形塗料２０を塗り延ばす際の円滑性が確保されにくくなる。本実施形態では、主成分としてステアリン酸ナトリウムを含有する凝固剤Ｃを用いている。
【００２５】
水性固形塗料２０に含有される水の割合が３０質量％よりも低い場合には、水性固形塗料２０を塗り延ばす際の円滑性が確保されにくい。一方、水性固形塗料２０に含有される水の割合が５０質量％よりも高い場合には、水性固形塗料２０の形状保持性が確保されにくい。したがって、水性固形塗料２０における水の含有割合は、３０〜５０質量％であることが好ましい。
【００２６】
次に、本実施形態におけるスティック型塗料１０の作用について説明する。
図１（ａ）に示すように、作業者は塗装作業を行う際に、ケース３０からキャップ４０を取り外す。そして、回動体３６を一方向に回転させることで、図１（ｂ）に示すように、ケース３０の開口３２を通じて水性固形塗料２０が外部に進出する。
【００２７】
水性固形塗料２０の使用時においては、図２に示すように、作業者は、ケース３０を介して水性固形塗料２０をペンのように把持しながら塗装作業を行う。
また、塗装作業を完了した後には、回動体３６を上記一方向とは逆方向に回転させることで、ケース３０内に水性固形塗料２０を退避させ、ケース３０にキャップ４０を装着する。
【００２８】
次に、本実施形態の作用効果について説明する。
（１）水性固形塗料２０は、主成分として、水、常温反応硬化型の樹脂、及び凝固剤を含有し、スティック状に成形されてなる。
【００２９】
こうした構成によれば、水性固形塗料２０がスティック状をなしているため、作業者は、水性固形塗料２０をペンのように把持しながら塗装を行うことができる。そして、塗り延ばされた水性固形塗料２０から水分が蒸発することにより、樹脂を含む塗膜が形成される。特に、水性固形塗料２０が常温反応硬化型の樹脂を含有していることにより、水性固形塗料２０を滑らかに塗り延ばすことができる。また、塗料が固形であるため、液垂れを抑制することができる。したがって、液垂れを抑制しつつ塗装作業を容易に行うことができる。
【００３０】
（２）水性固形塗料２０の水の含有割合は３０〜５０質量％である。
水性固形塗料２０に含有される水の割合が３０質量％よりも低い場合には、水性固形塗料２０を塗り延ばす際の円滑性が確保されにくい。一方、水性固形塗料２０に含有される水の割合が５０質量％よりも高い場合には、水性固形塗料２０の形状保持性が確保されにくい。
【００３１】
この点、上記構成によれば、水の含有割合が３０〜５０質量％であるため、水性固形塗料２０を塗り延ばす際の円滑性の確保及び水性固形塗料２０の形状保持性の確保の両立を図ることができる。
【００３２】
（３）スティック型塗料１０は、水性固形塗料２０と、一端に開口３２を有し、水性固形塗料２０を収容する筒状のケース３０と、ケース３０に対して着脱可能に設けられ、ケース３０の開口３２を塞ぐキャップ４０と、ケース３０に設けられ、ケース３０の開口３２を通じて水性固形塗料２０を進退させる進退機構とを備える。
【００３３】
こうした構成によれば、上記作用を奏することから、作業者は、水性固形塗料２０を直接把持しなくて済む。また、水性固形塗料２０全体がケース３０及びキャップ４０によって覆われることにより、水性固形塗料２０の乾燥を抑制できる。
【００３４】
＜変更例＞
上記実施形態は、例えば以下のように変更することもできる。上記実施形態及び以下の変更例は、技術的に矛盾しない範囲で互いに組み合わせて実施することができる。
【００３５】
・上記実施形態では、常温反応硬化型の樹脂の一例としてアクリルシリコン樹脂及びポリビニル系樹脂の混合物について例示したが、アクリルシリコン樹脂のみ、またはポリビニル系樹脂のみを用いるようにしてもよい。
【００３６】
・上記実施形態では、回動体３６の回動操作に伴って水性固形塗料２０を昇降させる進退機構について例示したが、進退機構の構成はこれに限定されない。例えば、ケースの側壁に軸線方向に沿って延在する操作孔を形成し、同操作孔を通じてケースの内外に挿通されたレバーの操作によって水性固形塗料を昇降させる構成であってもよい。
【００３７】
・水性固形塗料の形状を四角柱状に変更することもできる。この場合、水性固形塗料の形状に合わせてケース及びキャップの形状を変更すればよい。
・水性固形塗料は、筒状のケースに収容されるスティック型のものに限定されず、水性固形塗料の外周面にテープが巻かれているものであってもよい。この場合、テープを適宜剥がしながら水性固形塗料を使用すればよい。また、水性固形塗料単体で使用することもできる。この場合であっても、上記実施形態の作用効果（１）に準じた作用効果を奏することができる。
【符号の説明】
【００３８】
１０…スティック型塗料、２０…水性固形塗料、３０…ケース、３１…ケース本体、３２，３３…開口、３４…係止突部、３５…案内突条、３６…回動体、３７…螺軸、３８…内皿、３９…案内溝、４０…キャップ。
【図１】
2020111663.tif 000003
【図２】
2020111663.tif 000004